(57)【要約】【課題】最終値が不明な負荷変化時にも適切なボイラ入力加速指令を出力して対応でき、燃料や給水等の制御の安定化を図り得るボイラ負荷変化時先行制御方法及び装置を提供する。【解決手段】負荷上昇指令４０又は負荷降下指令４１が入力された時点から時間をカウントし、負荷上昇指令４０又は負荷降下指令４１の継続時間４６に応じて予め設定されたボイラ入力加速指令２５を出力するＢＩＲ回路２６を備えることにより、ボイラの負荷変化時に対応するための先行制御系統２３を構成する。【選択図】図１
2006097943.tif 000002
【特許請求の範囲】
【請求項１】
ボイラの負荷変化時、発電機出力指令にボイラ入力加速指令を加算するようにしたボイラ負荷変化時先行制御方法において、
負荷上昇指令又は負荷降下指令が入力された時点から時間をカウントし、負荷上昇指令又は負荷降下指令の継続時間に応じて予め設定されたボイラ入力加速指令を出力するようにしたことを特徴とするボイラ負荷変化時先行制御方法。
【請求項２】
ボイラ入力加速指令の変化率を負荷上昇指令又は負荷降下指令の継続時間の長さに応じて段階的に大きくなるよう設定し且つボイラ入力加速指令の上下限を設定するようにした請求項１記載のボイラ負荷変化時先行制御方法。
【請求項３】
ボイラの負荷変化時、発電機出力指令にボイラ入力加速指令を加算するようにしたボイラ負荷変化時先行制御装置において、
負荷上昇指令又は負荷降下指令が入力された時点から時間をカウントし、負荷上昇指令又は負荷降下指令の継続時間に応じて予め設定されたボイラ入力加速指令を出力するＢＩＲ回路を備えたことを特徴とするボイラ負荷変化時先行制御装置。
【請求項４】
負荷上昇指令が入力された場合には「１」の上昇・降下信号を出力し、負荷降下指令が入力された場合には「−１」の上昇・降下信号を出力するデジタル・アナログ変換器と、
負荷上昇指令又は負荷降下指令が入力された場合に「１」の論理和信号を出力するＯＲ回路と、
該ＯＲ回路から出力される論理和信号に基づき負荷上昇指令又は負荷降下指令が入力された時点からの継続時間をカウントするタイマと、
該タイマでカウントされた負荷上昇指令又は負荷降下指令の継続時間に基づきボイラ入力加速指令を求めて出力する第一関数発生器と、
該第一関数発生器から出力されるボイラ入力加速指令に対し前記デジタル・アナログ変換器から出力される上昇・降下信号を掛けることにより、負荷上昇指令又は負荷降下指令に対応したボイラ入力加速指令を出力する第一乗算器と、
発電機出力指令に基づきゲインを求めて出力する第二関数発生器と、
該第二関数発生器から出力されるゲインを前記第一乗算器から出力されるボイラ入力加速指令に掛けることにより、その時点での発電機出力指令に対応したボイラ入力加速指令を出力する第二乗算器と、
負荷上昇指令又は負荷降下指令が入力されている状態では、前記第二乗算器から出力されるボイラ入力加速指令をそのまま出力する一方、前記第二乗算器から出力されるボイラ入力加速指令が負荷上昇指令又は負荷降下指令の入力停止に伴って急激に「０」に変化する場合には、その変化率を設定値以下の範囲内に制限する処理を行いつつボイラ入力加速指令を出力する変化率制限器と
からＢＩＲ回路を構成した請求項３記載のボイラ負荷変化時先行制御装置。
【請求項５】
第一関数発生器に、ボイラ入力加速指令の変化率を負荷上昇指令又は負荷降下指令の継続時間の長さに応じて段階的に大きくし且つボイラ入力加速指令の上下限を決めた関数を設定するようにした請求項４記載のボイラ負荷変化時先行制御装置。 
【発明の詳細な説明】
【技術分野】
【０００１】
本発明は、ボイラ負荷変化時先行制御方法及び装置に関するものである。
【背景技術】
【０００２】
従来より、一般家庭や工場等に電力を供給する電気事業の中で火力発電プラントは重要な役割を担っており、該火力発電プラントには、ボイラが設けられている。
【０００３】
図５はボイラの一例を表わすものであって、図５中、１は火炉１ａと後部伝熱部１ｂとを有するボイラ本体、２はボイラ本体１の火炉１ａ内へ燃料を噴射して燃焼させるバーナ、３は一次過熱器、４は二次過熱器、５は三次過熱器、６は最終過熱器、７は一次再熱器、８は二次再熱器、９は節炭器であり、バーナ２からボイラ本体１の火炉１ａ内へ燃料を噴射して燃焼させることにより、燃焼ガスを生成し、生成された燃焼ガスを流通させ、二次過熱器４、三次過熱器５、最終過熱器６、二次再熱器８、一次過熱器３、一次再熱器７及び節炭器９と熱交換させ、熱交換した後の排ガスを排ガスダクト１０へ流出させ、下流側に設けられた脱硝、脱硫等の排煙処理装置（図示せず）で窒素酸化物や硫黄酸化物等を除去した後、大気へ放出するようになっている。
【０００４】
一方、図６は前述のボイラの給水・蒸気系統を表わすものであり、ボイラ給水は、燃料が燃焼されるボイラ本体１の火炉１ａの炉壁に形成される蒸発器１１で加熱され、ノーズ部１２を経て、汽水分離器１３で水と蒸気に分離され、該汽水分離器１３で水と分離された蒸気は、ボイラ本体１の天井並びに後部伝熱部周壁１４を通過し、一次過熱器３、二次過熱器４、三次過熱器５及び最終過熱器６で過熱され、高圧タービン１５へ導かれ、該高圧タービン１５が駆動されて発電が行われると共に、前記高圧タービン１５を駆動した後の蒸気は、一次再熱器７及び二次再熱器８へ導かれ、該一次再熱器７及び二次再熱器８で再熱された後、中・低圧タービン１６へ導入され、該中・低圧タービン１６が駆動されて発電が行われ、前記中・低圧タービン１６を駆動した後の蒸気は、復水器１７へ導かれてボイラ給水に戻され、該ボイラ給水は、復水脱塩装置１８と低圧給水加熱器１９と脱気器２０とを経由し、給水ポンプ２１により高圧給水加熱器２２を介して節炭器９へ圧送され、該節炭器９で加熱され、前記蒸発器１１へ送給され、循環されるようになっている。
【０００５】
ところで、前述の如きボイラの場合、負荷変化時には、ボイラの応答遅れによって過渡的にボイラ出口即ち高圧タービン１５入口の主蒸気圧力等が変動することから、これを補償するために、負荷変化状態に応じて燃料や給水等のボイラ入力指令を先行的に操作するためのボイラ入力加速指令を出力する、いわゆるＢＩＲ（Boiler Input Ratio）回路が設置されている。
【０００６】
図７は従来のボイラ制御系の一例を示す制御ブロック図であって、ボイラの負荷変化時に対応するための先行制御系統２３’と、フィードバック制御系統２４とを備えたものである。
【０００７】
前記先行制御系統２３’は、
ボイラの負荷変化時にボイラ入力加速指令２５’を出力するＢＩＲ回路２６’と、
発電機出力指令２７に対しＢＩＲ回路２６’から出力されるボイラ入力加速指令２５’を加算し発電機出力指令２８として出力する第一加算器２９と
を備えてなる構成を有している。
【０００８】
又、前記フィードバック制御系統２４は、
高圧タービン１５入口の主蒸気圧力設定値３０が記憶された設定器３１と、
該設定器３１に記憶された主蒸気圧力設定値３０と圧力検出器３２で実際に検出された高圧タービン１５入口の主蒸気圧力３３との主蒸気圧力偏差３４を求めて出力する減算器３５と、
該減算器３５から出力される主蒸気圧力偏差３４を比例積分処理して該主蒸気圧力偏差３４をなくすための制御指令３６を出力する比例積分調節器３７と、
前記先行制御系統２３’における第一加算器２９から出力される発電機出力指令２８に前記比例積分調節器３７から出力される制御指令３６を加算しボイラ入力指令３８として出力する第二加算器３９と
を備えてなる構成を有している。
【０００９】
図７に示される従来のボイラ制御系の場合、ボイラの負荷変化時には、先行制御系統２３’におけるＢＩＲ回路２６’からボイラ入力加速指令２５’が第一加算器２９へ出力され、該第一加算器２９において、発電機出力指令２７に対しＢＩＲ回路２６’から出力されるボイラ入力加速指令２５’が加算され発電機出力指令２８として第二加算器３９へ出力される。尚、ボイラの負荷変化が生じていない静定時には、発電機出力指令２７がそのまま第一加算器２９を通過し発電機出力指令２８として第二加算器３９へ出力される形となる。
【００１０】
これと同時に、フィードバック制御系統２４の減算器３５においては、設定器３１に記憶された主蒸気圧力設定値３０と圧力検出器３２で実際に検出された高圧タービン１５入口の主蒸気圧力３３との主蒸気圧力偏差３４が求められて比例積分調節器３７へ出力され、該比例積分調節器３７において、前記減算器３５から出力される主蒸気圧力偏差３４が比例積分処理されて該主蒸気圧力偏差３４をなくすための制御指令３６が前記第二加算器３９へ出力され、該第二加算器３９において、前記先行制御系統２３’における第一加算器２９から出力される発電機出力指令２８に前記比例積分調節器３７から出力される制御指令３６が加算されボイラ入力指令３８として、図示していない燃料制御系統や給水制御系統へ出力される。
【００１１】
尚、前述の如きＢＩＲ回路を備えたボイラに関連する技術を示すものとしては、例えば、特許文献１がある。
【特許文献１】特開２０００−１９９６２２号公報
【発明の開示】
【発明が解決しようとする課題】
【００１２】
しかしながら、従来の先行制御系統２３’におけるＢＩＲ回路２６’では、図８に示される如く、発電機出力指令２７の最終値Ｂを指標としてボイラ入力加速指令２５’の過剰量Ａを決定し先行操作しているため、最終値Ｂが不明な負荷変化時、即ち実負荷が必要な値になればそこで止める負荷変化時には対応できないという欠点を有していた。
【００１３】
このように最終値Ｂが不明である場合、ボイラ入力加速指令２５’をある一定の値とせざるを得ないが、予想に反して負荷変化が短くなった場合や長くなった場合にはボイラ入力加速指令２５’に過不足が発生し、必要以上に燃料や水を投入したり、必要以上に燃料や水の投入量を絞ってしまう虞があった。
【００１４】
因みに、最終値Ｂが不明な負荷変化としては、例えば、電力系統周波数調整のための負荷変化が挙げられ、これは、電力系統周波数が降下した場合にパルス信号としての負荷上昇指令が出力されて、該電力系統周波数が元に戻れば負荷上昇指令が停止される一方、電力系統周波数が上昇した場合にパルス信号としての負荷降下指令が出力されて、該電力系統周波数が元に戻れば負荷降下指令が停止されるようなものである。
【００１５】
本発明は、斯かる実情に鑑み、最終値が不明な負荷変化時にも適切なボイラ入力加速指令を出力して対応でき、燃料や給水等の制御の安定化を図り得るボイラ負荷変化時先行制御方法及び装置を提供しようとするものである。
【課題を解決するための手段】
【００１６】
本発明は、ボイラの負荷変化時、発電機出力指令にボイラ入力加速指令を加算するようにしたボイラ負荷変化時先行制御方法において、
負荷上昇指令又は負荷降下指令が入力された時点から時間をカウントし、負荷上昇指令又は負荷降下指令の継続時間に応じて予め設定されたボイラ入力加速指令を出力するようにしたことを特徴とするボイラ負荷変化時先行制御方法にかかるものである。
【００１７】
前記ボイラ負荷変化時先行制御方法においては、ボイラ入力加速指令の変化率を負荷上昇指令又は負荷降下指令の継続時間の長さに応じて段階的に大きくなるよう設定し且つボイラ入力加速指令の上下限を設定することができる。
【００１８】
一方、本発明は、ボイラの負荷変化時、発電機出力指令にボイラ入力加速指令を加算するようにしたボイラ負荷変化時先行制御装置において、
負荷上昇指令又は負荷降下指令が入力された時点から時間をカウントし、負荷上昇指令又は負荷降下指令の継続時間に応じて予め設定されたボイラ入力加速指令を出力するＢＩＲ回路を備えたことを特徴とするボイラ負荷変化時先行制御装置にかかるものである。
【００１９】
前記ボイラ負荷変化時先行制御装置においては、負荷上昇指令が入力された場合には「１」の上昇・降下信号を出力し、負荷降下指令が入力された場合には「−１」の上昇・降下信号を出力するデジタル・アナログ変換器と、
負荷上昇指令又は負荷降下指令が入力された場合に「１」の論理和信号を出力するＯＲ回路と、
該ＯＲ回路から出力される論理和信号に基づき負荷上昇指令又は負荷降下指令が入力された時点からの継続時間をカウントするタイマと、
該タイマでカウントされた負荷上昇指令又は負荷降下指令の継続時間に基づきボイラ入力加速指令を求めて出力する第一関数発生器と、
該第一関数発生器から出力されるボイラ入力加速指令に対し前記デジタル・アナログ変換器から出力される上昇・降下信号を掛けることにより、負荷上昇指令又は負荷降下指令に対応したボイラ入力加速指令を出力する第一乗算器と、
発電機出力指令に基づきゲインを求めて出力する第二関数発生器と、
該第二関数発生器から出力されるゲインを前記第一乗算器から出力されるボイラ入力加速指令に掛けることにより、その時点での発電機出力指令に対応したボイラ入力加速指令を出力する第二乗算器と、
負荷上昇指令又は負荷降下指令が入力されている状態では、前記第二乗算器から出力されるボイラ入力加速指令をそのまま出力する一方、前記第二乗算器から出力されるボイラ入力加速指令が負荷上昇指令又は負荷降下指令の入力停止に伴って急激に「０」に変化する場合には、その変化率を設定値以下の範囲内に制限する処理を行いつつボイラ入力加速指令を出力する変化率制限器と
からＢＩＲ回路を構成することができる。
【００２０】
又、前記ボイラ負荷変化時先行制御装置においては、第一関数発生器に、ボイラ入力加速指令の変化率を負荷上昇指令又は負荷降下指令の継続時間の長さに応じて段階的に大きくし且つボイラ入力加速指令の上下限を決めた関数を設定することもできる。
【００２１】
上記手段によれば、以下のような作用が得られる。
【００２２】
本発明のボイラ負荷変化時先行制御方法及び装置においては、最終値が不明な負荷変化として、例えば、電力系統周波数が降下した場合にパルス信号としての負荷上昇指令が出力されて、該電力系統周波数が元に戻れば負荷上昇指令が停止される一方、電力系統周波数が上昇した場合にパルス信号としての負荷降下指令が出力されて、該電力系統周波数が元に戻れば負荷降下指令が停止されるような場合であっても、負荷上昇指令又は負荷降下指令の継続時間に応じてボイラ入力加速指令を、上限又は下限を越えない範囲で適切に出力することが可能となり、負荷変化の長さにかかわらず、ボイラ入力加速指令に過不足が発生しなくなり、必要以上に燃料や水を投入したり、必要以上に燃料や水の投入量を絞ってしまう心配もなくなる。
【発明の効果】
【００２３】
本発明の請求項１〜５記載のボイラ負荷変化時先行制御方法及び装置によれば、最終値が不明な負荷変化時にも適切なボイラ入力加速指令を出力して対応でき、燃料や給水等の制御の安定化を図り得るという優れた効果を奏し得る。
【発明を実施するための最良の形態】
【００２４】
以下、本発明の実施の形態を添付図面を参照して説明する。
【００２５】
図１〜図４は本発明を実施する形態の一例であって、図中、図５〜図８と同一の符号を付した部分は同一物を表わしており、基本的な構成は図５〜図８に示す従来のものと同様であるが、本図示例の特徴とするところは、図１〜図４に示す如く、負荷上昇指令４０又は負荷降下指令４１が入力された時点から時間をカウントし、負荷上昇指令４０又は負荷降下指令４１の継続時間４６に応じて予め設定されたボイラ入力加速指令２５を出力するＢＩＲ回路２６を備えることにより、ボイラの負荷変化時に対応するための先行制御系統２３を構成した点にある。
【００２６】
本図示例の場合、前記ＢＩＲ回路２６は、
負荷上昇指令４０が入力された場合には「１」の上昇・降下信号４２を出力し、負荷降下指令４１が入力された場合には「−１」の上昇・降下信号４２を出力するデジタル・アナログ変換器４３と、
負荷上昇指令４０又は負荷降下指令４１が入力された場合に「１」の論理和信号４４を出力するＯＲ回路４５と、
該ＯＲ回路４５から出力される論理和信号４４に基づき負荷上昇指令４０又は負荷降下指令４１が入力された時点からの継続時間４６をカウントするタイマ４７と、
該タイマ４７でカウントされた負荷上昇指令４０又は負荷降下指令４１の継続時間４６に基づきボイラ入力加速指令４８を求めて出力する第一関数発生器４９と、
該第一関数発生器４９から出力されるボイラ入力加速指令４８に対し前記デジタル・アナログ変換器４３から出力される上昇・降下信号４２を掛けることにより、負荷上昇指令４０又は負荷降下指令４１に対応したボイラ入力加速指令５０を出力する第一乗算器５１と、
発電機出力指令２７に基づきゲイン５２を求めて出力する第二関数発生器５３と、
該第二関数発生器５３から出力されるゲイン５２を前記第一乗算器５１から出力されるボイラ入力加速指令５０に掛けることにより、その時点での発電機出力指令２７に対応したボイラ入力加速指令５４を出力する第二乗算器５５と、
負荷上昇指令４０又は負荷降下指令４１が入力されている状態では、前記第二乗算器５５から出力されるボイラ入力加速指令５４をそのままボイラ入力加速指令２５として第一加算器２９へ出力する一方、前記第二乗算器５５から出力されるボイラ入力加速指令５４が負荷上昇指令４０又は負荷降下指令４１の入力停止に伴って急激に「０」に変化する場合には、その変化率を設定値以下の範囲内に制限する処理を行いつつボイラ入力加速指令２５を第一加算器２９へ出力する変化率制限器５６と
から構成してある。
【００２７】
又、前記第一関数発生器４９には、図２に示す如く、ボイラ入力加速指令４８の変化率を負荷上昇指令４０又は負荷降下指令４１の継続時間４６の長さに応じて段階的に大きくし且つボイラ入力加速指令４８の上限をαとして決めた関数を設定するようにしてある。尚、図２に示すボイラ入力加速指令４８の上限としてのαは、負荷降下指令４１が入力された場合には、前記第一乗算器５１において、デジタル・アナログ変換器４３から出力される「−１」の上昇・降下信号４２が掛けられることにより、−αとなって下限の値となる。
【００２８】
更に又、前記第二関数発生器５３には、図３に示す如く、発電機出力指令２７の増減に対し略比例させる形でゲイン５２を増減させるような関数を設定するようにしてある。
【００２９】
次に、上記図示例の作用を説明する。
【００３０】
図１に示すボイラ制御系の場合、ボイラの負荷変化時には、先行制御系統２３におけるＢＩＲ回路２６のデジタル・アナログ変換器４３に負荷上昇指令４０又は負荷降下指令４１のいずれかが入力され、負荷上昇指令４０が入力された場合には「１」の上昇・降下信号４２が第一乗算器５１へ出力される一方、負荷降下指令４１が入力された場合には「−１」の上昇・降下信号４２が第一乗算器５１へ出力される。
【００３１】
前記負荷上昇指令４０又は負荷降下指令４１が入力された場合、ＯＲ回路４５から「１」の論理和信号４４がタイマ４７へ出力され、該タイマ４７において、前記ＯＲ回路４５から出力される論理和信号４４に基づき負荷上昇指令４０又は負荷降下指令４１が入力された時点からの継続時間４６がカウントされつつ第一関数発生器４９へ出力され、該第一関数発生器４９において、前記タイマ４７でカウントされた負荷上昇指令４０又は負荷降下指令４１の継続時間４６に基づきボイラ入力加速指令４８が求められて前記第一乗算器５１へ出力される。
【００３２】
前記第一乗算器５１においては、前記第一関数発生器４９から出力されるボイラ入力加速指令４８に対し前記デジタル・アナログ変換器４３から出力される上昇・降下信号４２を掛けることにより、負荷上昇指令４０又は負荷降下指令４１に対応したボイラ入力加速指令５０が第二乗算器５５へ出力される。ここで、負荷上昇指令４０に対応したボイラ入力加速指令５０は正の値となり、負荷降下指令４１に対応したボイラ入力加速指令５０は負の値となる。
【００３３】
一方、第二関数発生器５３においては、発電機出力指令２７に基づきゲイン５２が求めて前記第二乗算器５５へ出力され、該第二乗算器５５において、前記第二関数発生器５３から出力されるゲイン５２を前記第一乗算器５１から出力されるボイラ入力加速指令５０に掛けることにより、その時点での発電機出力指令２７に対応したボイラ入力加速指令５４が変化率制限器５６へ出力される。
【００３４】
前記変化率制限器５６において、負荷上昇指令４０又は負荷降下指令４１が入力されている状態では、前記第二乗算器５５から出力されるボイラ入力加速指令５４がそのままボイラ入力加速指令２５として第一加算器２９へ出力されるが、前記第二乗算器５５から出力されるボイラ入力加速指令５４が負荷上昇指令４０又は負荷降下指令４１の入力停止に伴って急激に「０」に変化する場合には、その変化率を設定値以下の範囲内に制限する処理が行われつつボイラ入力加速指令２５が第一加算器２９へ出力される。
【００３５】
前記第一加算器２９においては、発電機出力指令２７に対し前記ＢＩＲ回路２６の変化率制限器５６から出力されるボイラ入力加速指令２５が加算され発電機出力指令２８として第二加算器３９へ出力される。尚、ボイラの負荷変化が生じていない静定時には、発電機出力指令２７がそのまま第一加算器２９を通過し発電機出力指令２８として第二加算器３９へ出力される形となる。
【００３６】
これと同時に、フィードバック制御系統２４の減算器３５においては、従来と同様、設定器３１に記憶された主蒸気圧力設定値３０と圧力検出器３２で実際に検出された高圧タービン１５入口の主蒸気圧力３３との主蒸気圧力偏差３４が求められて比例積分調節器３７へ出力され、該比例積分調節器３７において、前記減算器３５から出力される主蒸気圧力偏差３４が比例積分処理されて該主蒸気圧力偏差３４をなくすための制御指令３６が前記第二加算器３９へ出力され、該第二加算器３９において、前記先行制御系統２３’における第一加算器２９から出力される発電機出力指令２８に前記比例積分調節器３７から出力される制御指令３６が加算されボイラ入力指令３８として、図示していない燃料制御系統や給水制御系統へ出力される。
【００３７】
この結果、最終値Ｂが不明な負荷変化として、例えば、図４に示す如く、電力系統周波数が降下した場合にパルス信号としての負荷上昇指令４０が出力されて、該電力系統周波数が元に戻れば負荷上昇指令４０が停止される一方、電力系統周波数が上昇した場合にパルス信号としての負荷降下指令４１が出力されて、該電力系統周波数が元に戻れば負荷降下指令４１が停止されるような場合であっても、負荷上昇指令４０又は負荷降下指令４１の継続時間４６に応じてボイラ入力加速指令２５を、上限α又は下限−αを越えない範囲で適切に出力することが可能となり、負荷変化の長さにかかわらず、ボイラ入力加速指令２５に過不足が発生しなくなり、必要以上に燃料や水を投入したり、必要以上に燃料や水の投入量を絞ってしまう心配もなくなる。
【００３８】
こうして、最終値Ｂが不明な負荷変化時にも適切なボイラ入力加速指令２５を出力して対応でき、燃料や給水等の制御の安定化を図り得る。
【００３９】
尚、本発明のボイラ負荷変化時先行制御方法及び装置は、上述の図示例にのみ限定されるものではなく、本発明の要旨を逸脱しない範囲内において種々変更を加え得ることは勿論である。
【図面の簡単な説明】
【００４０】
【図１】本発明を実施する形態の一例を示す制御ブロック図である。
【図２】図１に示す第一関数発生器に入力された関数を表わす線図である。
【図３】図１に示す第二関数発生器に入力された関数を表わす線図である。
【図４】本発明を実施する形態の一例において、負荷上昇指令と負荷降下指令とが出力された場合の発電機出力指令とボイラ入力加速指令とを示す線図である。
【図５】一般的なボイラの一例を示す全体概要構成図である。
【図６】図５に示されるボイラの給水・蒸気系統を示す概要構成図である。
【図７】従来のボイラ制御系の一例を示す制御ブロック図である。
【図８】従来のボイラ制御系の一例における発電機出力指令とボイラ入力加速指令とを示す線図である。
【符号の説明】
【００４１】
２３    先行制御系統
２５    ボイラ入力加速指令
２６    ＢＩＲ回路
２７    発電機出力指令
２９    第一加算器
３８    ボイラ入力指令
４０    負荷上昇指令
４１    負荷降下指令
４２    上昇・降下信号
４３    デジタル・アナログ変換器
４４    論理和信号
４５    ＯＲ回路
４６    継続時間
４７    タイマ
４８    ボイラ入力加速指令
４９    第一関数発生器
５０    ボイラ入力加速指令
５１    第一乗算器
５２    ゲイン
５３    第二関数発生器
５４    ボイラ入力加速指令
５５    第二乗算器
５６    変化率制限器
【図１】
2006097943.tif 000003
【図２】
2006097943.tif 000004
【図３】
2006097943.tif 000005
【図４】
2006097943.tif 000006
【図５】
2006097943.tif 000007
【図６】
2006097943.tif 000008
【図７】
2006097943.tif 000009
【図８】
2006097943.tif 000010